(57)【要約】 【課題】  作業性の向上を図ることができるうえ、見栄えをよくすることが可能となるアンテナ取付け構造を提供する。【解決手段】  接着層６は、仮固定部１と本固定部２とを含み、仮固定部２は、フィルムアンテナ３の矩形枠形状の一辺付近に沿う一部分に設けられる。仮固定部１は水分１２により接着性の弱まらない耐水性の接着剤たとえばエポキシ樹脂系の接着剤から成り、仮固定部１は、ガラス面Ｇに対する本固定部２の相対移動に伴う、ガラス面Ｇからの移動を禁止するように本固定部２の固定に先立って位置決めされて仮固定される。【選択図】      図３
2006339977.tif 000002
【特許請求の範囲】
【請求項１】
フィルムアンテナに設けられ、フィルムアンテナを貼付対象に位置決めして仮固定する仮固定部と、
前記仮固定部を除くフィルムアンテナの他の部分に設けられ、フィルムアンテナを貼付対象に本固定する本固定部とを有することを特徴とするアンテナ取付け構造。
【請求項２】
フィルムアンテナに設けられ、かつ貼付対象に対する位置決め用の仮固定部と、前記仮固定部を除くフィルムアンテナの他の部分に設けられ、貼付対象に相対移動可能に固着される本固定部とを備え、
前記仮固定部は、貼付対象に対する本固定部の相対移動に伴う貼付対象からの移動を禁止するように本固定部の固定に先立って仮固定されることを特徴とするアンテナ取付け構造。
【請求項３】
前記仮固定部は、非水溶性接着剤から成り、
前記本固定部は、水溶性接着剤から成ることを特徴とする請求項１または２に記載のアンテナ取付け構造。
【請求項４】
前記本固定部には、加熱により接着する熱硬化性接着剤が塗布されて成ることを特徴とする請求項１〜３のいずれか１項に記載のアンテナ取付け構造。
【請求項５】
前記本固定部には、光照射により接着する光硬化性接着剤が塗布されて成ることを特徴とする請求項１〜３のいずれか１項に記載のアンテナ取付け構造。
【請求項６】
仮固定部および本固定部を含む接着層と、フィルムとが多層化されて成ることを特徴とする請求項１または２記載のアンテナ取付け構造。
【発明の詳細な説明】
【技術分野】
【０００１】
本発明は、アンテナ取付け構造に関し、たとえばフィルムアンテナを車両などのガラス面に貼付する技術に関する。
【０００２】
本発明において、「非水溶性接着剤」とは、水分により接着性の弱まらない接着剤と同義である。
【背景技術】
【０００３】
フィルムアンテナを車両のガラス面に貼付する技術が種々実用に供されている（たとえば特許文献１〜３参照）。従来技術（１）フィルムアンテナの粘着剤塗布面に水または中性洗剤水を散布することによって、接着作業時初期には水膜などによってフィルムアンテナの滑りを良くしたうえで該フィルムアンテナを仮貼付しておく。次いでフィルムの位置を調整後、へらなどを用いて水および気泡をフィルムの外側に除去し、粘着剤によって該フィルムアンテナをガラス面に固定する。
【０００４】
従来技術（２）粘着剤を自己吸着性糊などを用いて繰り返しの貼付使用を可能としている。
【０００５】
【特許文献１】特開平９−５８２６４号公報
【特許文献２】特開平１１−２７８０５０号公報
【特許文献３】特開２０００−４３２０３号公報
【発明の開示】
【発明が解決しようとする課題】
【０００６】
従来技術（１）では、水膜を介在させることでフィルムの位置調整が可能になるものの、水および気泡を除去する際、一旦調整したフィルムの位置が簡単にずれてしまい、フィルムを所定位置に貼付し難い。また水および気泡を慎重にかつこまめに除去する必要があり、作業性が悪い。
【０００７】
従来技術（２）では、フィルムの貼付時に空気を取り込んでしまうことによって、見栄えが悪くなる。空気を取り込んでしまった場合には、その空気を抜き難い。
【０００８】
本発明の目的は、作業性の向上を図ることができるうえ、見栄えをよくすることが可能となるアンテナ取付け構造を提供することである。
【課題を解決するための手段】
【０００９】
本発明は、フィルムアンテナに設けられ、フィルムアンテナを貼付対象に位置決めして仮固定する仮固定部と、
前記仮固定部を除くフィルムアンテナの他の部分に設けられ、フィルムアンテナを貼付対象に本固定する本固定部とを有することを特徴とするアンテナ取付け構造である。
【００１０】
また本発明は、フィルムアンテナに設けられ、かつ貼付対象に対する位置決め用の仮固定部と、前記仮固定部を除くフィルムアンテナの他の部分に設けられ、貼付対象に相対移動可能に固着される本固定部とを備え、
前記仮固定部は、貼付対象に対する本固定部の相対移動に伴う貼付対象からの移動を禁止するように本固定部の固定に先立って仮固定されることを特徴とするアンテナ取付け構造である。
【００１１】
また本発明は、前記仮固定部は、非水溶性接着剤から成り、
前記本固定部は、水溶性接着剤から成ることを特徴とする。
【００１２】
また本発明は、前記本固定部には、加熱により接着する熱硬化性接着剤が塗布されて成ることを特徴とする。
【００１３】
また本発明は、前記本固定部には、光照射により接着する光硬化性接着剤が塗布されて成ることを特徴とする。
【００１４】
また本発明は、仮固定部および本固定部を含む接着層と、フィルムとが多層化されて成ることを特徴とする。
【発明の効果】
【００１５】
本発明によれば、仮固定部を貼付対象に位置決めして仮固定した後、前記仮固定部を除く本固定部を前記貼付対象に固着する。本固定部の水分および気泡（気泡などと称す）の除去時の軽荷重によって、フィルムアンテナ全体つまり少なくとも仮固定部が所定位置から移動することがなくなる。この状態でフィルムアンテナと貼付対象との間に介在する気泡などを容易に除去することができる。仮に、気泡などの除去時に本固定部が移動したとしても、所定位置にある仮固定部を基準として、本固定部を所望位置に容易に復帰させることができる。したがって作業性の向上を図ることができるうえ、見栄えをよくすることが可能となる。
【００１６】
また本発明によれば、仮固定部を貼付対象に仮固定した後、本固定部を前記貼付対象に相対移動可能に固着する。この本固定部の相対移動に伴って、仮固定部は貼付対象からの移動を禁止する。仮に本固定部が不所望に移動したとしても、所定位置にある仮固定部を基準として、本固定部を所望位置に容易に復帰させることができる。したがって作業性の向上を図ることができるうえ、見栄えをよくすることが可能となる。
【００１７】
また本発明によれば、非水溶性接着剤から成る仮固定部をガラス面などの貼付対象に仮固定した後、水溶性接着剤から成る本固定部を前記貼付対象に固着する。したがって本固定部の気泡などの除去時の軽荷重によって、該本固定部よりも強固に固着している仮固定部が所定位置から不所望に移動することがなくなる。
【００１８】
また本発明によれば、熱硬化性接着剤によって、仮固定部および本固定部を水分を用いることなく添付対象に貼付することができる。したがって作業性の向上をさらに図ることができる。
【００１９】
また本発明によれば、光硬化性接着剤によって、仮固定部および本固定部を水分を用いることなく添付対象に貼付することができる。したがって作業性の向上をさらに図ることができる。
【００２０】
また本発明によれば、貼付対象への貼付に失敗した場合であっても、その失敗した接着層およびフィルムを一層分、離脱させることで、再利用することが可能となる。初期の接着強度を保持することができるとともに、ユーザ負担を軽減できる点で有利となる。
【発明を実施するための最良の形態】
【００２１】
以下、図面を参照しながら本発明を実施するための形態を、複数の形態について説明する。各形態で先行する形態で説明している事項に対応している部分には同一の参照符を付し、重複する説明を略する場合がある。構成の一部のみを説明している場合、構成の他の部分は、先行して説明している形態と同様とする。実施の各形態で具体的に説明している部分の組合せばかりではなく、特に組合せに支障が生じなければ、実施の形態同士を部分的に組合せることも可能である。
【００２２】
図１は、本発明の第１実施形態に係るアンテナ取付け構造を概略示す図である。図２は、仮固定部１および本固定部２の領域を示すフィルムアンテナの正面図である。本第１実施形態に係るアンテナ取付け構造は、フィルムアンテナをたとえば車両のガラス面に貼付する技術に適用される。ただし前記アンテナ取付け構造は、車両以外のガラス面に貼付される場合もあり得る。以下の説明は、アンテナ取付け方法の説明をも含む。
【００２３】
第１実施形態に係るフィルムアンテナ３は、図２および図３に示すように、フィルム体４（フィルム４と称す）と、アンテナパターン５と、接着層６と、セパレータ７と、コネクタ８とを有する。フィルム４は、たとえばポリエステルなどの合成樹脂材から薄膜状の矩形枠形状に形成されるうえ、運転者などの視界を遮らないように透明に形成される。ただし矩形枠形状以外のフィルムを適用する場合もあり得る。貼付対象であるガラス面Ｇに臨むフィルム４の一表面部には、導電性の図形である前記アンテナパターン５が付設されている。アンテナパターン５の経路途中には後述するコネクタ８が設けられ、該コネクタは、図１に示すように、当該車両に配設される図示外のアンテナアンプセレクターに、コード類９を介して接続されている。
【００２４】
フィルム４の他表面部には、当該フィルムアンテナ３をガラス面Ｇに貼付するための接着層６が固着されている。フィルム４に接着層６を介してセパレータ７が設けられている。このセパレータ７は、接着層６に対し剥離可能なシート体であり、フィルムアンテナ３を貼付するとき剥離されて接着層６を露出させて使用に供される。フィルムアンテナ３を貼付する前の通常取り扱い時においては、接着層６はセパレータ７に覆われて保護されている。前記接着層６は、仮固定部１と本固定部２とを含む。これらのうち仮固定部１は、フィルムアンテナ３の一部分つまり前記矩形枠形状の一辺付近に沿う一部分に設けられる。仮固定部１は、水分により接着性の弱まらない耐水性の接着剤、たとえばエポキシ樹脂系の接着剤から成る。ただしエポキシ樹脂系の接着剤だけに限定されるものではない。仮固定部１は、後述するガラス面Ｇに対する本固定部２の相対移動に伴うガラス面Ｇからの移動を禁止するように本固定部２の固定に先立って位置決めされて仮固定される。
【００２５】
前記接着層６における本固定部２は、フィルムアンテナ３の大部分つまり仮固定部１を除くフィルムアンテナ３の他の部分に設けられる。本固定部２は水溶性接着剤から成り、ガラス面Ｇに相対移動可能に固着される。具体的には、本固定部２は、ガラス面Ｇとの間に介在する水分１２によってガラス上で微妙にずらしながら位置調整可能になっている。
【００２６】
図３は、アンテナ取付け方法を段階的に示し、図３（ａ）はセパレータ７を剥離する段階の断面図、図３（ｂ）は貼付け面に水分１２を散布する段階の断面図、図３（ｃ）はフィルム４の一部を位置決めする段階の断面図である。車両のガラス面Ｇにフィルムアンテナ３を取付ける際には、次のように実施する。車両に応じたフィルムアンテナ３の取付け位置を定めておき、該フィルムアンテナ３を取付けるべきガラス面Ｇのほこりおよび汚れなどを拭き取る。次に、たとえば小量の中性洗剤を入れた水で、前記ガラス面Ｇを均一に濡らす。その後図３（ａ）に示すようにフィルムアンテナ３からセパレータ７を剥がし、図３（ｂ）に示すように、たとえば小量の中性洗剤を入れた水で、フィルムアンテナ３の貼り付け面である本固定部２および仮固定部１を均一に濡らす。次に図３（ｃ）に示すように、仮固定部１を本固定部２に先立ってガラス面Ｇに位置決めして仮固定した後（丸印１にて表記する）、本固定部２をガラス面Ｇに固着する（丸印２にて表記する）。その後、フィルムアンテナ３にしわおよび傷がつかないように、フィルムアンテナ３とガラス面Ｇとの間に入った水、気泡をへらなどで取り除く。
【００２７】
図４は、コネクタ８を切断して示す要部の断面図である。つまり図４は、図２のＡ−Ａ線断面図である。コネクタ８は、ケース１３、銅箔部１４および両面テープ１５を含む。ケース１３は、たとえば合成樹脂などから形成され、コード類９の先端部分の芯線と銅箔部１４との接続部分を覆うように設けられる。ケース１３の底部に形成された孔部１３ａから銅箔部１４の一部分１４ａが引き出され、ケース１３の裏面部に固着された両面テープ１５とアンテナパターン５との間に、前記銅箔部１４の一部分１４ａが介在されて固着される。
【００２８】
以上説明した第１実施形態に係るフィルムアンテナ３によれば、仮固定部１をガラス面Ｇに仮固定した後、水溶性接着剤を含む本固定部２を前記ガラス面Ｇに固着する。本固定部２の気泡などの除去時の軽荷重によって、フィルムアンテナ全体つまり少なくとも仮固定部１が所定位置から移動することがなくなる。この状態でフィルムアンテナ３とガラス面Ｇとの間に介在する気泡などを容易に除去することができる。仮に、気泡などの除去時に本固定部２が移動したとしても、所定位置にある仮固定部１を基準として、本固定部２を所望位置に容易に復帰させることができる。したがって作業性の向上を図ることができるうえ、見栄えをよくすることが可能となる。
【００２９】
ケース１３の裏面部に固着された両面テープ１５とアンテナパターン５との間に、銅箔部１４の一部分４ａが介在されて接続されるが、その接続作業時などにおいて次のような作用および効果を奏する。フィルムアンテナ３の本固定部２がガラス面Ｇに完全に定着していない状態であっても、仮固定部１０が位置決めされて固着されているので、前記接続作業をスムースに行うことができる。具体的には、接続作業時に、本固定部２が不所望に移動したとしても、所定位置にある仮固定部１を基準として、本固定部２を所望位置に容易に復帰させることができる。
【００３０】
図５は、本発明の第２実施形態に係るアンテナ取付け構造の要部の断面図である。図２も参照しつつ説明する。第２実施形態に係るアンテナ取付け構造は、第１および第２のフィルム体４Ａ，４Ｂと、アンテナパターン５と、第１および第２の接着層６Ａ，６Ｂと、セパレータ７と、図示外のコネクタとを有する。貼付対象であるガラス面Ｇに臨む第１フィルム体４Ａの一表面部には、導電性の図形である前記アンテナパターン５が付設されている。アンテナパターン５の経路途中にはコネクタ８が設けられ、該コネクタ８は、当該車両に配設される図示外のアンテナアンプセレクターに、コード類９を介して接続されている。
【００３１】
第１フィルム体４Ａの他表面部に、順次、第１の接着層６Ａ、第２のフィルム体４Ｂ、第２の接着層６Ｂを介してセパレータ７が設けられている。これらのうち第１および第２の接着層６Ａ，６Ｂは同一構造であるので、第２の接着層６Ｂについてのみ説明し、第１の接着層６Ａについては第２の接着層６Ｂと同一の符号を付してその説明を省略する。ただし第１の接着層６Ａと第２の接着層６Ｂとは、接着強度が段階的に異なるように設定されている。具体的には、貼付に一度失敗した場合であっても、フィルムアンテナを再利用可能なように第１および第２の接着層６Ａ，６Ｂの接着強度が異なるように設定されている。第２の接着層６Ｂは、仮固定部１と本固定部２とを含む。前記仮固定部１は、フィルムアンテナの一部分つまり矩形枠形状の一辺付近に沿う一部分に設けられる。仮固定部２は、水分により接着性の弱まらない耐水性の接着剤、たとえばエポキシ樹脂系の接着剤から成る。仮固定部１は、ガラス面Ｇに対する前記本固定部２の相対移動に伴い、ガラス面Ｇから移動することを禁止するように本固定部２に先立って位置決めされて仮固定される。
【００３２】
本第２の実施形態に係るフィルムアンテナを車両のガラス面Ｇに取付ける際には、車両に応じたフィルムアンテナの取付け位置を定め、ガラス面Ｇの前記取付け位置付近を均一に濡らす。次に第２接着層６Ｂのうちの仮固定部１を本固定部２に先立ってガラス面Ｇに位置決めして仮固定した後、この第２接着層６Ｂの本固定部２をガラス面Ｇに固着する。その後、フィルムアンテナとガラス面Ｇとの間に入った水、気泡をへらなどで取り除く。第２の接着層６Ｂを固着する際または気泡などを取り除く際、第２の接着層６Ｂおよび第２のフィルム体４Ｂの少なくともいずれか一方に、破れ、復元不可能なしわなどが生じた場合（いわゆる貼付に失敗した場合）であっても、第２の接着層６Ｂおよび第２のフィルム体４Ｂを離脱させることで、当該フィルムアンテナを再利用することが可能となる。よって、初期の接着強度を保持することができるとともに、ユーザ負担を軽減できる点で有利となる。その他第１の実施形態に係るフィルムアンテナと同様の効果を奏する。
【００３３】
本発明の実施の他の形態として、三層以上の接着層と、三層以上のフィルム体とを一体に備える多層構造にすることも可能である。この場合には、フィルムアンテナを再利用できる確立が高まり、ユーザ負担を軽減できる点で有利となるうえ、高強度のフィルムアンテナを実現することができる。本実施形態では、フィルムアンテナの幅方向の一辺付近に沿う一部分に仮固定部が設けられているが、必ずしもこの一部分だけに限定されるものではない。フィルムアンテナの長手方向の一辺付近に沿う一部分に仮固定部が設けられる場合もあり得る。この場合には、大略的に仮固定部の接着面積が大きくなり、安定してフィルムアンテナを保持することが可能となる。
【００３４】
本固定部には、加熱により接着する熱硬化性接着剤が塗布されて成る構成であってもよいし、光照射により接着する光硬化性接着剤が塗布されて成る構成であってもよい。これら熱硬化性接着剤または光硬化性接着剤によって、仮固定部および本固定部を水分を用いることなく添付対象に貼付することができる。したがって作業性の向上をさらに図ることができる。その他、本発明の趣旨を逸脱しない範囲において種々の変更を付加した形態で実施することも可能である。
【図面の簡単な説明】
【００３５】
【図１】本発明の第１実施形態に係るアンテナ取付け構造を概略示す図である。
【図２】仮固定部１および本固定部２の領域を示すフィルムアンテナの正面図である。
【図３】アンテナ取付け方法を段階的に示し、図３（ａ）はセパレータを剥離する段階の断面図、図３（ｂ）は貼付け面に水分を散布する段階の断面図、図３（ｃ）はフィルムの一部を位置決めする段階の断面図である。
【図４】コネクタを切断して示す要部の断面図である。
【図５】本発明の第２実施形態に係るアンテナ取付け構造の要部の断面図である。
【符号の説明】
【００３６】
１  仮固定部
２  本固定部
３  フィルムアンテナ
４  フィルム
５  アンテナパターン
６  接着層
【図１】
2006339977.tif 000003
【図２】
2006339977.tif 000004
【図３】
2006339977.tif 000005
【図４】
2006339977.tif 000006
【図５】
2006339977.tif 000007